【手続補正書】
【提出日】平成17年2月16日(2005.2.16)
【手続補正１】
【補正対象書類名】明細書
【補正対象項目名】全文
【補正方法】変更
【補正の内容】
【書類名】      明細書
【発明の名称】  遊技機の基板収納ボックス
【特許請求の範囲】
【請求項１】  回路基板を収納する基体及び蓋体を備えた遊技機の基板収納ボックスにおいて、
前記蓋体に設けられ、前記基体と前記蓋体とを固着させる固着手段が取り付けられる第一の取付片部と、
前記第一の取付片部を前記蓋体から切り離して前記基体と前記蓋体との固着状態を解除するために切断される第一の切断部と、
前記第一の切断部が切断され、前記第一の取付片部が前記蓋体から切り離されて前記基体と前記蓋体との固着状態が解除されても再び前記基体と前記蓋体とを固着させる固着手段が取り付けられる第二の取付片部と、
前記第二の取付片部を前記蓋体から切り離して前記基体と前記蓋体との固着状態を解除するために切断される第二の切断部と、
前記第二の取付片部に取り付けられる予備の固着手段が保持される予備保持部と、が形成され、
前記第一及び第二の取付片部を並設させて前記蓋体の対向する二側辺に各々設けたことを特徴とする遊技機の基板収納ボックス。
【発明の詳細な説明】
【０００１】
【発明の属する技術分野】
本発明は、回路基板を被覆状態にて収納する遊技機の基板収納ボックスに関するものである。
【０００２】
【従来の技術】
従来、パチンコ遊技機やスロットマシンには、多くの回路基板が設けられている。特に、遊技動作を制御する遊技制御回路基板には、マイクロコンピュータを構成するＭＰＵ、ＲＯＭ、ＲＡＭ等の電子素子が多数実装されている。そして、遊技動作を制御するプログラムが格納されるＲＯＭを交換することにより、多くの場合、異なる遊技内容を実現することが可能である。このため、遊技制御回路基板は、通常、不正行為を防止するために樹脂製のボックス内に収納して設けられていた。この基板収納ボックスは、回路基板を取り付けたボックス本体と、その上方を覆う蓋体と、から構成され、該蓋体がワンウェイネジでボックス本体に固着されることにより、基板収納ボックス自体を破壊しない限り開放できない構成となり、回路基板に対する不正（ジャンパー配線を接続したり、電子部品を実装したりする不正工作）を防止する防犯効果を高めていた。
【０００３】
【発明が解決しようとする課題】
ところが、上記従来の基板収納ボックスでは、出荷納入後に回路基板を検査する際、基板収納ボックスを破壊する必要があったので、一回の検査で別の新しい基板収納ボックスに取り替えなければならなかった。本発明は、上記した事情に鑑みなされたもので、その目的とするところは、回路基板を検査する場合でも、別の新しい回路基板ボックスに取り替えることなく、迅速に防犯効果の高い基板収納ボックスを復元することができる遊技機の基板収納ボックスを提供することにある。
【０００４】
【課題を解決するための手段】
上記目的を達成するために本発明の請求項１が採用した解決手段は、図１、図７、及び図１０に示すように、回路基板（遊技制御回路基板６１）を収納する基体（ボックス本体１００）及び蓋体８０を備えた遊技機（弾球遊技機１）の基板収納ボックス（回路基板ボックス６２）において、前記蓋体８０に設けられ、前記基体１００と前記蓋体８０とを固着させる固着手段（ワンウェイネジ１３０）が取り付けられる第一の取付片部８３ａと、前記第一の取付片部８３ａを前記蓋体８０から切り離して前記基体１００と前記蓋体８０との固着状態を解除するために切断される第一の切断部（連結部８１ａ及び連結片８９ａ）と、前記第一の切断部８１ａ，８９ａが切断され、前記第一の取付片部８３ａが前記蓋体８０から切り離されて前記基体１００と前記蓋体８０との固着状態が解除されても再び前記基体１００と前記蓋体８０とを固着させる固着手段（ワンウェイネジ１３０）が取り付けられる第二の取付片部８３ｂ〜８３ｄと、前記第二の取付片部８３ｂ〜８３ｄを前記蓋体８０から切り離して前記基体１００と前記蓋体８０との固着状態を解除するために切断される第二の切断部（連結部８１ｂ〜８１ｄ及び連結片８９ｂ・８９ｃ）と、前記第二の取付片部８３ｂ〜８３ｄに取り付けられる予備の固着手段（ワンウェイネジ１３０）が保持される予備保持部（各取付片部８３ａ〜８３ｄ間のスリット状溝）と、が形成され、前記第一及び第二の取付片部８３ａ〜８３ｄを並設させて前記蓋体８０の対向する二側辺に各々設けたことを特徴とする。このように構成することにより、出荷納入後に回路基板６１を検査する場合でも、取付片部８３ｂ〜８３ｄをワンウェイネジ１３０で固着することにより、別の新しい回路基板ボックスに取り替えることなく、再度防犯効果の高い回路基板ボックス６２に復元することができる。さらに、複数回検査しても防犯効果を高く維持することができる。また、このような構成では、複数の取付片部８３ａ〜８３ｄを蓋体８０の対向する二側辺に各々設けることにより、固着状態にある取付片部が一瞥できるので、回路基板ボックス６２の開閉作業が容易になり、検査の迅速化を招来することができる。
【０００５】
また、図１０に示すように、前記ワンウェイネジ１３０は、回路基板ボックス６２に複数（３個）装備されるので、蓋体８０とボックス本体１００とを固着するためのワンウェイネジ１３０を事前に用意しておく必要がないため、回路基板ボックス６２の復元作業が行い易くなる。
【０００６】
【０００７】
【０００８】
【０００９】
【００１０】
【００１１】
【００１２】
【発明の実施の形態】
以下、図面を参照して、本発明の実施形態について説明する。まず、図１及び図２を参照して弾球遊技機１の全体の構成について説明する。図１は、実施形態に係る弾球遊技機１の正面図であり、図２は、弾球遊技機１の背面図である。
【００１３】
弾球遊技機１は、縦長な方形状に枠組み形成される外枠２と、該外枠２の一側に開閉自在に軸支され且つ弾球遊技機１の主要構成部のほぼすべてが集約して設けられる枠基体３と、該枠基体３の前面上部に開閉自在に設けられるガラス板保持枠４と、から構成されている。枠基体３に設けられる主要構成部としては、ガラス板保持枠４、遊技盤４０、上皿１２、灰皿２１を含む下皿１８、操作ハンドル２２、機構板５０、打球発射装置７１がある。また、図示の実施形態では、弾球遊技機１の側方に遊技者に遊技玉を貸し出すためのユニット装置としてのカードユニット装置３０が付設されている。
【００１４】
ガラス板保持枠４には、後述する遊技盤４０の遊技領域をほぼ透視し得る円形透視窓５が開設され、該円形透視窓５の裏面からガラス板が装着されている。また、ガラス板保持枠４には、円形透視窓５の外周に沿って、その上部に装飾ＬＥＤ７が、その左右両側方に装飾蛍光灯６ａ・６ｂが設けられている。この装飾ＬＥＤ７や装飾蛍光灯６ａ・６ｂは、遊技状態に応じて点灯又は点滅されるものであり、特別の遊技状態の発生時や継続時を遊技者に報知すると共に遊技の雰囲気を盛り上げるものである。また、ガラス板保持枠４の軸支側上部には、払い出すべく景品玉が不足したことを報知する玉切れＬＥＤ８や、入賞玉の発生に基づいて所定個数の景品玉が払い出されたことを報知する払出ＬＥＤ９が設けられ、更に、ガラス板保持枠４の上部左右に遊技の進行に応じた効果音を発生するスピーカ１０ａ・１０ｂが設けられている。なお、上記した構成のうち、装飾ＬＥＤ７や玉切れＬＥＤ８及び払出ＬＥＤ９は、複数のＬＥＤがプリント配線基板上に実装されるように構成されるものであるが、このプリント配線基板を金属ベースプリント配線基板で構成することにより、ＬＥＤから発生される熱の放熱効果を高めることができる。
【００１５】
次に、ガラス板保持枠４の下部で開閉自在に取り付けられる上皿１２の構成について説明すると、上皿１２は、合成樹脂製の上皿開閉板１１の表面に複数の合成樹脂製部材を組合せた皿部材を固着することにより構成されている。上皿開閉板１１には、その開放側の上端に玉抜き操作レバー１６が設けられている。この玉抜き操作レバー１６は、左右方向に移動可能に設けられ、図示しないスプリングの付勢力に抗して一方向に移動させることにより、上皿１２に貯留されていた玉を上皿開閉板１１の裏面に形成される玉抜き路（図示しない）を流下させて下皿２４に誘導するものである。また、上皿１２には、その内部に圧電ブザー１７が内蔵されている。この圧電ブザー１７は、遊技玉の貸出異常が生じたとき（例えば、ピッ、ピッ、ピッという連続音）、あるいは遊技玉の貸出時（例えば、１００円相当の遊技玉が払い出される毎にピーという音）に、その旨を報知する報知音が発生されるものである。
【００１６】
上記した上皿１２について、さらに詳細に説明すると、上皿１２は、その上流側に形成される賞球払出口１４とその下流側に形成される打球供給口１５とを連絡するように貯留整列路１３が形成されており、その貯留整列路１３の中程底面裏面に上皿玉検出器（図示しない）が設けられている。この上皿玉検出器は、上皿１２に残留する打玉を検出するものである。また、上皿１２には、弾球遊技機１に隣接して設けられるカードユニット装置３０を介して遊技玉を借り受ける際に操作する操作部が設けられている。なお、この操作部は、玉貸スイッチ、返却スイッチ、自動玉貸スイッチ、度数表示ＬＥＤ、及び自動玉貸表示ＬＥＤ（共に図示しない）から構成されている。玉貸スイッチは、カードユニット装置３０によって遊技玉を借り受ける際に操作するものである。返却スイッチは、遊技終了の際にカードユニット装置３０のカード挿入口３３に差し込まれたカードを返却するためのものである。度数表示ＬＥＤは、カードユニット装置３０のカード挿入口３３に差し込まれたカードの残額が表示されるものである。また、自動玉貸スイッチは、借り受けるべき遊技玉を前記玉貸スイッチを操作して行うマニュアルモードと、上皿１２の打玉の残量が前記上皿玉検出器によって検出されなくなったときに自動的に遊技玉を払い出す自動モードと、のいずれかのモードに設定するものであり、自動モータが選択設定されているときには、自動玉貸表示ＬＥＤが点灯している。
【００１７】
しかして、後述する遊技盤４０の遊技内容において大当り遊技状態が発生すると、短時間に多量の入賞玉を獲得するチャンスがある。このように大当り遊技状態という遊技者にとって極めて大きなチャンスは、上皿１２の残留玉がほとんどなくなった時点で発生する場合もあり、このような場合、続けて打玉を発射させて打玉を可変入賞球装置４２の特定入賞領域に入賞させる必要があるにも拘らず、打玉が上皿１２に残存しないので、慌てて玉貸スイッチを操作して遊技玉を借り受けなければならない。しかし、玉貸スイッチを操作してから遊技玉が払い出され、しかもその玉が発射されて可変入賞球装置４２の特定入賞領域に到達するまでに多少の時間がかかるため、その時間の間に有利なチャンス（継続権の成立）を逃してしまうという不都合があるが、本実施形態においては、自動玉貸スイッチを自動モードに設定しておけば、上皿玉検出器１８が打玉の不存在を検出した時点で自動的に遊技玉を上皿１２に払い出すので、上記したような不都合は生じない。なお、上皿１２として上記した制御を行わないならば、上皿玉検出器及び自動玉貸スイッチを省略したものでも良い。
【００１８】
また、枠基体３の下部に取り付けられる下皿１８は、前記上皿１２から溢れた賞球であって余剰玉通路（図示しない）を介して余剰玉払出口１９から排出される余剰の賞球を貯留するものであり、その下皿１８の前面壁には、玉抜き操作レバー２０がスライド可能に取り付けられるようになっている。この玉抜き操作レバー２０を操作することにより、下皿１８に貯留されていた賞球を下方に玉抜きして持ち運び可能な玉箱に移し替えることができる。また、下皿の左側には、灰皿２１が設けられ、右側には、操作ハンドル２２が設けられている。操作ハンドル２２は、後述する打球発射装置７１の発射装置モータ７２の駆動を開始せしめるメインスイッチ及びタッチアンテナ（共に図示しない）を内蔵していると共に、弾発力を調節するものである。
【００１９】
弾球遊技機１の正面構造は、概ね上記した通りであるが、図示の実施形態では、弾球遊技機１にカードユニット装置３０が隣接されている。このカードユニット装置３０は、前記上皿１２の上面に設けられる前述した操作部を操作することにより作動されるものである。しかして、カードユニット装置３０は、使用可能状態であるか否かを表示する使用可能表示器３１と、当該カードユニット装置３０がいずれの側の弾球遊技機１に対応しているか否かを表示する連結台方向表示器３２と、記録媒体としての磁気カードを挿入するカード投入口３３とが設けられている。そして、このように構成されるカードユニット装置３０は、独自の制御回路によって制御されるものであるが、上皿１２に設けられる玉貸スイッチ、返却スイッチ、及び度数表示ＬＥＤや、後述する制御基板ボックス６４内に収納された賞球払出制御基板６３と接続されている。なお、カードユニット装置３０を弾球遊技機１に内蔵しても良い。なお、本実施形態においては、遊技者に遊技玉を貸し出すためのユニット装置としてカードユニット装置３０を例示したが、例えば、紙幣等を挿入し得るユニット装置であっても良い。
【００２０】
次に、遊技盤４０の正面構造について説明すると、遊技盤４０は、前記枠基体３の裏面側に一体的に形成される遊技盤収納枠（図示しない）に収納固定されるべく、ほぼ正方形状の合板により形成され、その表面には、円形うず巻き状に誘導レール（図示しない）が取り付けられ、該誘導レールの内側が遊技領域とされて発射された打玉が落下するものである。遊技領域には、図示の場合、ドラム状可変表示装置４１や可変入賞球装置４２やドラム状可変表示装置４１の可変表示を許容する始動入賞口４３が設けられると共に、単に打玉を入賞とする入賞口４４・４５、打玉の流下方向及び速度を変化せしめる風車又は多数の障害釘が設けられ、また、遊技領域の最下方には、いずれの入賞領域にも入賞しない打玉が取り込まれるアウト口４６が設けられている。
【００２１】
一方、弾球遊技機１の裏面側には、図２に示すように、機構板５０が開閉自在に設けられている。機構板５０の中央には窓開口５１が開設され、該窓開口５１からは、前記遊技盤４０の裏面に取り付けられた入賞玉集合カバー体５２が貫通されている。入賞玉集合カバー体５２には、中継基板５３と、ドラム表示制御回路基板５４を備えた前記ドラム状可変表示装置４１と、が設けられている。なお、各基板５３・５４は、相互間で接続されている。また、中継基板５３には、遊技盤４０上の各種電気部品が接続されると共に、後述する遊技制御回路基板６１が接続されている。一方、ドラム表示制御回路基板５４には、前記可変表示装置４１を構成する各種電気部品（ドラムモータ、ドラムランプ、ドラムセンサ等）が接続されると共に、遊技制御回路基板６１が接続されている。
【００２２】
また、前記機構板５０には、発生した入賞玉に基づいて所定個数の賞球を払い出す玉タンク５５と、賞球払出装置５６と、玉タンク５５内の玉を賞球払出装置５６に送る玉整列レール５７、カーブ樋５８、及び通路体５９と、玉止め部材６０ａ及び入賞玉排出ソレノイド６０ｂを備えた入賞玉処理装置６０と、遊技制御回路基板６１を収納した回路基板ボックス６２と、賞球払出制御基板６３を収納した制御基板ボックス６４と、ユニット中継基板６５を収納した中継基板ボックス６６と、ターミナル基板６７を収納したターミナル基板ボックス６８と、が設けられている。遊技制御回路基板６１は、ＣＰＵ、ＲＡＭ、及びＲＯＭを備えてドラム式可変表示装置４１や可変入賞球装置４２等の遊技装置の遊技動作を制御するものである。賞球払出制御基板６３は、賞球払出装置５６の動作を制御するものである。ユニット中継基板６５は、弾球遊技機１とカードユニット装置３０との配線を中継するものである。ターミナル基板６７は、遊技制御回路基板６１に電源を供給するものである。また、弾球遊技機１の裏面には、上記した機構板５０以外の領域に、装飾制御基板６９を収納した制御基板ボックス７０と、発射装置モータ７２を備えた打球発射装置７１とが設けられている。装飾制御基板６９は、遊技制御回路基板６１からの指令又はデータに基づいて弾球遊技機１の前面に設けられる電気的装飾部品（ランプ等）の動作を制御するものである。
【００２３】
なお、上記した各種基板及び装置には、所定の配線を接続するためのコネクタが設けられており、特に、ターミナル基板ボックス６８に収納されるターミナル基板６７は、遊技制御回路基板６１に電源を供給するだけでなく、弾球遊技機１に設けられる各種電気的装置、例えば、上記した各基板及び打球発射装置７１にも電源を供給すると共に、弾球遊技機１の内部での信号線の中継、あるいは弾球遊技機１と外部との信号線の中継を行うための端子も設けられている。
【００２４】
次に、各種制御用の回路基板を収納してなる基板ボックスの構成について回路基板ボックス６２を例に挙げて説明する。回路基板ボックス６２は、図３に示すように、前記遊技制御回路基板６１を内部に収納する蓋体８０及びボックス本体１００の組付体からなり、この組付体が取付台１２０を介して前記機構板５０に取り付けられて構成される。先ず、ボックス６２内に収納される遊技制御回路基板６１について図６を参照して説明する。回路基板６１は、図６に示すように、長方形状のプリント配線基板によって構成されており、その上面の大部分はＲＯＭ等の電子部品７３を実装する電子部品実装領域７４として形成される一方、幅方向一側の領域がコネクタ７５を実装するコネクタ実装領域７６として形成されている。また、回路基板６１には、幅方向一側の両端に止め穴７７が穿設される一方、幅方向他側の両端には係合穴７８が穿設されている。なお、回路基板６１の上面及び下面における止め穴７７の外周には、メッキ部７９が設けられている。このメッキ部７９は、回路基板６１を後述の本体枠１０７にビス１１９止めする際、回路基板６１のグランドライン６１ａと本体枠１０７とを導通させるためのものであり、ボックス６２内で発生する静電気から回路基板６１を保護するようになっている。
【００２５】
蓋体８０は、図４に示すように、透視性を有する上板８１と、金属製の蓋枠８６と、透視性及び導電性を有する導電板９４と、を備えている。上板８１は、透明合成樹脂の長方形板からなり、その下面側の外周端部には、所定間隔を置いて複数の溶着突起８２が突設されている。また、上板８１の長手方向の両端には、複数（実施形態中では、４つ）の取付片部８３ａ〜８３ｄが並設されている。取付片部８３ａ〜８３ｄには、相互間を連結する連結片８９ａ〜８９ｃが一体成形されている。なお、各取付片部８３ａ〜８３ｄ間には、スリット状の溝が形成され、連結片８９は、取付片部８３ａ〜８３ｄの外壁面から突出した状態で設けられている。連結片８９の上方に位置する上板８１の上壁部分には、溝部９２が形成され、これによって各取付片部８３ａ〜８３ｄと対応する上板８１の上壁部分は、切断可能な連結部８１ａ〜８１ｄとして形成されている。また、取付片部８３ａ〜８３ｄには、それぞれ取付穴９９ａが穿設されると共に、その取付穴９９ａの穿設部分を含む内壁側には係合突起９９ｂが形成されている（図７（Ｂ）参照）。なお、この係合突起９９ｂは、後述する蓋枠８６側の切欠部８６ｂとの係合により上板８１と蓋枠８６との取り付け強度を向上させると共に、ボックス本体１００との組み付け状態でその内向面（係合突起９９ｂの先端面）が後述する本体枠１０７の側壁外面と当接して隙間をなくすことにより、取付穴９９ａを止めるワンウェイネジ１３０の切断を防止するようになっている。また、取付片部８３ａ〜８３ｄ及び取付片部８３ａ〜８３ｄと対応する上板８１の上壁面には、図９（Ａ）及び図１０に示すように、それぞれ復元示唆用に「１〜４」の刻印１３１〜１３４が施されている。具体的には、取付片部８３ａに対応するものが「１」の刻印１３１であり、取付片部８３ｂに対応するものが「２」の刻印１３２であり、取付片部８３ｃに対応するものが「３」の刻印１３３であり、取付片部８３ｃに対応するものが「４」の刻印１３４である。なお、取付片部８３ａ〜８３ｄは、上板８１の長手方向の両端で非対称に設けられている。例えば、長手方向一端の取付片部８３ａと対向する位置には、長手方向他端の取付片部８３ｄが配されており、長手方向一端の取付片部８３ｄと対向する位置には、長手方向他端の取付片部８３ａが配されている。また、上板８１の上面側の一部には、凹部８５が形成されており、該凹部８５には復元示唆シール８４が貼着されている。復元示唆シール８４には、図９（Ｂ）に示すように、回路基板ボックス６２を開放した後に再度閉塞状態に復元する手順と、機種名（図９（Ｂ）中には「Ａ」と記載）と、が記されている。なお、機種名シールを別途設けた構成としてもよい。また、回路基板ボックス６２の復元手順は後で詳述する。
【００２６】
蓋枠８６は、上面に開口部８７を有すると共に、その外周縁部には全周に亘って側壁を有する形状となっている。なお、幅方向の一側壁は、その他の側壁に比べて下方に突出して設けられ、回路基板６１の収納状態で電子部品実装領域７４とコネクタ実装領域７６とを蓋枠８６の内外に仕切る仕切り壁８６ａとして形成されている（図７（Ａ）参照）。開口部８７以外となる残りの上面領域には、上板８１側の複数の溶着突起８２を個々に挿通する挿通穴８８が複数穿設され、長手方向両端の側壁には、上板８１との組み付け状態で取付片部８３ａ〜８３ｄの各係合突起９９ｂを個々に係止する切欠部８６ｂが並設されている。一方、仕切り壁８６ａが形成された幅方向側壁には、収納する回路基板６１からの発熱を外部に放出するための放熱穴９１が穿設されている。また、仕切り壁８６ａが形成さない蓋枠８６の幅方向側壁には、取付穴９０が穿設されている。この取付穴９０は、後で詳述するボックス本体１００との組み付け時にビス（皿ネジ）９３の頭部が蓋枠８６の側壁面に入り込むようなテーパー形状をなしている。
【００２７】
導電板９４は、上板８１と同様に透明合成樹脂の長方形板からなり、その上面側には黒色塗装を施した導電性繊維９５が全域に接合して設けられている。導電板９４の外周端部には、蓋枠８６に穿設された挿通穴８８と同様に、上板８１側の溶着突起８２を個々に挿通する挿通穴９６が複数穿設されている。ここで、導電性繊維について簡単に説明すると、導電性繊維は、大きく分けて金属製（銅、黄銅、ニッケル、アルミニューム等）のフィラメントを網状に織ったものと、合成繊維に導電性粒子（銅、カーボン等）を塗布又は含浸させたものと、があり、いずれの種類の導電性繊維においても、電磁シールド効果及び光線透過率の見地から、５０〜２５０メッシュ（特に、１００〜２００メッシュがよい）程度で、その開口率１０〜９０％（特に、３０〜８０％がよい）であることが望ましい。そして、メッシュという構造上、どうしても透視性が悪くなるが、本実施形態では、これを抑制するために、導電性繊維９５を金属色を避けた濃色（実施形態中では、黒色）にすることで透視性を向上させている。
【００２８】
なお、本実施形態では、透明合成樹脂板に導電性繊維９５を接合することで導電板９４を構成しているが、導電板の構成はこれに限定するものではなく、透明合成樹脂板に導電性繊維を埋設して導電板（俗にＣＲＴフィルターなどともいう）を構成してもよい。この場合、その透明合成樹脂板を濃色とすることにより透視性を向上させることができる。また、透明導電層の形成によって導電板を構成してもよい。この透明導電層について簡単に説明すると、透明導電層は、金、白金、銀、錫、アルミニウム、ニッケル、パラジウム、あるいはアンチモン等の金属や酸化インジウムあるいは酸化錫等の金属酸化物、又はこれらの混合物を真空蒸着、スパッタリング、イオンプレーティング、ＣＶＤ等の方法により導電性と透視性を有する厚みの層として樹脂材等の表面に形成されるものである。透明導電層の厚みは、通常５〜１０００ｎｍ程度であり、その電気伝導性は、１００００Ω／□以下、好ましくは１０００Ω／□以下の電気抵抗率が適当である。
【００２９】
しかして、蓋体８０は、図５（Ａ）（Ｂ）に示すように、蓋枠８６の挿通穴８８及び導電板９４の挿通穴９６を挿通した上板８１の溶着突起８２が超音波溶着されることで、上板８１、蓋枠８６、及び導電板９４の組付体として構成されている。また、このような溶着突起８２の溶着により、導電板９４の導電性繊維９５は、蓋枠８６と確実に導通される。なお、溶着突起８２の溶着において、上板８１（溶着突起８２）と導電板９４とを同一素材で形成した場合には、溶着突起８２の溶着部分が導電板９４に混じり合い、より一層強固な溶着が可能になる。また、蓋体８０の組み付け方法は、超音波溶着以外にも熱溶着したり、溶剤又は接着剤を用いてもよい。また、このような蓋体８０の組み付け状態において、上板８１側の係合突起９９ｂは、蓋枠８６側の切欠部１１４と係合した状態にある。また、上板８１の上面と蓋枠８６の側面との間には、長方形状のホログラムシール９８が貼着されており、これによって蓋体８０の組み付け状態が担保されている。
【００３０】
一方、ボックス本体１００は、図６に示すように、透視性を有する底板１０１と、金属製の本体枠１０７と、を備えている。底板１０１は、透明合成樹脂の長方形板からなり、その上面側には、回路基板６１の下面を支承するためのフランジ片１０２が四隅近傍部及び幅方向の両端中央部に立設されている。なお、幅方向一側の二隅近傍部に立設されたフランジ片１０２には、後述する係合片１１３との干渉を逃がすためのスリット部１０３が形成されている。一方、底板１０１の下面側には、本体枠１０７との間で所定間隔を保持するためのフランジ片１０４が立設されている。また、底板１０１には、幅方向他側の各隅角部及び長手方向一側のほぼ中央部にそれぞれ切欠部１０５ａ・１０５ｂ・１０６が穿設されている。切欠部１０５ａ・１０５ｂは、回路基板６１のビス止め部分との干渉を逃がすための切り欠きであり、切欠部１０６は、取付台１２０への取り付け状態で後述する係合突起１２４との干渉を逃がすための切り欠きである。
【００３１】
本体枠１０７は、下面に開口部１０８を有すると共に、その外周縁部には全周に亘って側壁を有する形状となっている。開口部１０８の内周縁部には、その幅方向両側に断面Ｌ字状をなす係合片１０９が所定の条設長さで形成され、内周縁部の長手方向一側には、係止穴１１０ａを穿設した係止片１１０が形成されている。また、開口部１０８以外となる残りの下面領域には、楕円形状をなす複数の透視穴１１１が穿設されている。下面領域における幅方向一側の両端には、取付穴１１２ａを穿設した取付片１１２が形成され、下面領域における幅方向他側の両端には、係合突起１１３ａを備えた係合片１１３が形成されている。また、上記した係合片１０９は、後で詳述する取付台１２０への取り付け時に取付台１２０側の係合レール１２１と係合し易いように先端部分が若干下方に折曲されている。
【００３２】
一方、本体枠１０７の幅方向一側壁には、取付穴１１４ａを穿設した取付片１１４が断面Ｌ字状をなして内向側に折曲形成されると共に、複数の放熱穴１１５が穿設されている。本体枠１０７の長手方向の両側壁には、上板８１側の各取付片部８３ａ〜８３ｄの取付穴９９ａと対応する複数（４つ）の取付穴１１６が穿設されている。また、本体枠１０７の幅方向の両側壁には、その長手方向の両端部に補強片１１８が延設されている。この補強片１１８は、延設部分から内向側に折曲されることで本体枠１０７の長手方向両側壁を内側から押さえ、本体枠１０７の強度を向上するようになっている。また、側壁間の隙間を塞ぐので、側壁間を広げて不正に改造しようとしてもできない。なお、このような補強片は、本体枠１０７に限らず蓋枠８６側に設けてもよい。
【００３３】
しかして、上記した蓋体８０及びボックス本体１００は、以下に示す組み付けによって回路基板６１を収納した組付体（回路基板ボックス６２）として構成される。先ず、回路基板６１と底板１０１とを重畳して本体枠１０７に装着する。そして、回路基板６１の係合穴７８に係合片１１３の係合突起１１３ａを挿通する一方、回路基板６１の止め穴７７を取付片１１２の取付穴１１２ａにビス１１９止めすることで、底板１０１を挟んで本体枠１０７に回路基板６１を固定する。また、このような回路基板６１の取り付け固定において、止め穴７７と取付穴１１２ａとの穴位置を合せる際、回路基板６１が若干ズレることで係合突起１１３ａと係合穴７８とが係合し、ビス止めされない回路基板６１の幅方向一側も固定される。
【００３４】
次に、上面が開放しているボックス本体１００に蓋体８０を被せる。このとき、蓋体８０の仕切り壁８６ａは、回路基板６１の電子部品実装領域７４とコネクタ実装領域７６とを蓋枠８６の内外に仕切った状態にある。これにより、蓋体８０を取り外すことなく、コネクタ７５への配線取り付け及び配線取り外しが可能になる。そして、図４及び図６に示すＢ方向において、蓋枠８６の取付穴９０と本体枠１０７の取付穴１１４ａとをビス９３で共締めし、そのビス９３止め部分を長方形状のホログラムシール９８で封印する。また、図４及び図６に示すＡ・Ｃの２方向において、取付片部８３ａの取付穴９９ａと本体枠１０７の取付穴１１６とをワンウェイネジ（ビス）１３０で共締めし（図７（Ｂ）参照）、そのビス１３０止め部分を長方形状のホログラムシール９８で封印する。これにより、蓋体８０とボックス本体１００との内部空間に回路基板６１を止着状態にて収納した組付体（回路基板ボックス６２）が構成される。また、このような蓋体８０とボックス本体１００との組み付け状態において、各取付片部８３ａ〜８３ｄ間のスリット状溝には、ワンウェイネジ１３０が螺着されずに予備的に取り付けられている。なお、ワンウェイネジ１３０は、ネジ１３０締め方向にしか回らない特殊なネジであり、一旦締め付けるとネジ１３０を破壊しない限り取り外すことができない。具体的には、図８に示すように、その頭部１３０ａに設けられたネジ溝が当接面部１３０ｂと凹部１３０ｃとから構成されている。これにより、マイナスドライバーでネジ１３０締めを行う場合には、マイナスドライバーが当接面部１３０ｂと当接することで、一方向（図８（Ａ）の時計回り方向）に頭部１３０ａが回転してネジ１３０締めが行われる。一方、マイナスドライバーで頭部１３０ａを他方向（図８（Ａ）の反時計回り方向）に回転させてネジ１３０を取り外そうとした場合には、マイナスドライバーが凹部１３０ｃに入り込んで滑ってしまい頭部１３０ａを回転させることができず、ひいてはネジ１３０を取り外すことができない。
【００３５】
また、上記した蓋体８０及びボックス本体１００の組み付けを行うビス９３・１３０は、それぞれ螺着状態で蓋枠８６の側壁面に入り込む構成となっている。このため、ビス９３・１３０止め部分を封印するホログラムシール９８は、突起のない平坦面上に貼付され、シール９８の剥れ及び損傷が防止できると共に、シール９８に対する不正行為の判別が容易になる。ここで、ホログラムシールについて簡単に説明すると、ホログラムシールは、ホログラム層と光反射層と接着剤層とを備え、ホログラム層に形成されるホログラム図柄を偽造困難な図柄に構成することで、不正行為に伴うシールの貼り替えを防止するようになっている。このホログラム図柄は、ホログラムシールの表面に入射したコヒーレント光（レーザー光）がホログラム層のエンボス面を透して光反射層に入り、光反射層からホログラム干渉光としてホログラムシールの外方に反射されることで形成される。また、ホログラムシールを剥した場合は、もう一度貼り直してもホログラム図柄が元の形状にならないので、剥した痕跡が残る。
【００３６】
以上のように、回路基板ボックス６２は、蓋体８０とボックス本体１００とのビス９３・１３０止め部分をホログラムシール９８で封印することにより回路基板６１の被覆状態を担保している。また、ボックス６２内に設けられた導電板９４によって電磁シールド効果を奏し得るようになっている。さらに、回路基板ボックス６２は、その上壁面を構成する上板８１と導電板９４、及び下壁面を構成する底板１０１をそれぞれ透視性を有する素材から形成することで、回路基板６１の実装面（上面）及びハンダ面（下面）を外部から透視できるようにしている。このため、回路基板６１に不正な工作（例えば、ジャンパー配線を接続したり、電子部品を実装したりする不正工作）が施された場合には、直ちにその不正工作が判るようになっている。
【００３７】
次に、上記した回路基板ボックス６２を機構板５０に取り付けるための取付台１２０について図３を参照して説明する。取付台１２０は、図３に示すように、合成樹脂（金属でもよい）によって形成された長方形板からなり、その基板中央には断面逆Ｌ字状をなす一対の係合レール１２１が所定間隔を置いて条設されている。なお、係合レール１２１の条設方向は、取付台１２０の長辺部に沿った左右方向となっている。取付台１２０の各長辺部（前後端縁）には、基板面に対して直交するガイド片１２２が突設されている。取付台１２０の右側端部には、弾性変形する解除レバー１２３が形成されており、該解除レバー１２３の基部には、ボックス本体１００側の係止穴１１０ａと係合する係合突起１２４が突設されている。また、取付台１２０の基板面には、機構板５０側の取付ボス（図示しない）に取付台１２０をビス止めするための止め穴１２５が穿設されている。
【００３８】
しかして、上記した取付台１２０は、止め穴１２５を介して機構板５０にビス止めされることで機構板５０上の所定部位に固定される。また、この取付台１２０に回路基板ボックス６２を取り付けるときには、取付台１２０に対してボックス６２を左側方からスライド装着させる。このとき、取付台１２０側の係合レール１２１は、ボックス６２側の係合片１０９と係合した状態にあり、ガイド片１２２は、ボックス６２のスライド移動を案内する。そして、このようなボックス６２のスライド移動によって取付台１２０側の解除レバー１２３が下方に弾性変形し、遂には、ボックス６２側の係止穴１１０ａが取付台１２０側の係合突起１２４と係合してボックス６２の装着が完了する。一方、回路基板ボックス６２を取付台１２０から取り外すときには、解除レバー１２３を下方に押して係止穴１１０ａと係合突起１２４との係合を解除し、この状態からボックス６２を左側方にスライドさせることで簡単に取り外すことができる。即ち、回路基板ボックス６２は、機構板５０にビス止め固定された取付台１２０に対して着脱自在な構成となっている。
【００３９】
次に、上記した回路基板ボックス６２を回路基板６１の検査（出荷納入後にＲＯＭが正規のものか否かを検査する）等で開放した後に再度閉塞状態に復元する手順を図１０に基づいて説明する。先ず、図１０（Ａ）に示す回路基板ボックス６２の閉塞状態において、取付穴９０に貼着されたホログラムシール９８を剥した後にビス９３を取り外し、また、取付片部８３ａに貼着されたホログラムシール９８を剥した後に「１」の刻印１３１を目印に連結部８１ａと連結片８９ａとをニッパー等の切断工具で切断する。これにより、取付片部８３ａは、蓋体８０から完全に分離され且つワンウェイネジ１３０によってボックス本体１００に固着された状態となる。即ち、ボックス本体１００に対する蓋体８０の固着が全て解除されて、回路基板ボックス６２の開放が可能になる。なお、このとき、取付片部８３ａは、係合突起９９ｂが本体枠１０７の外壁面と当接した状態にあり、ボックス本体１００への固着状態がより一層強固なものとなっている。そして、図１０（Ｂ）に示すように、ボックス本体１００から蓋体８０を取り外して回路基板６１の検査等を行う。また、このような蓋体８０の取り外し時（取付片部８３ａの切断時）、各取付片部８３ａ・８３ｂ間のスリット状溝に予備的に取り付けられたワンウェイネジ１３０が取り出される。その後、回路基板ボックス６２を閉塞するときには、蓋体８０をボックス本体１００に被せた状態で、取付穴９０にビス９３を螺着し、その螺着部分に新しいホログラムシール９８を貼着する。また、取り出されたワンウェイネジ１３０を「２」の刻印１３２を目印に取付片部８３ｂの取付穴９９ａに螺着する。これにより、取付片部８３ｂの取付穴９９ａとこれに対応する本体枠１０７の取付穴１１６とがワンウェイネジ１３０によって共締めされる。そして、この取付片部８３ｂの共締め部分に新しいホログラムシール９８を貼着することで、回路基板ボックス６２が再度閉塞状態に復元される。
【００４０】
その後、回路基板ボックス６２を再度開放（２回目の開放）して閉塞状態に復元する場合には、取付穴９０に貼着されたホログラムシール９８を剥した後にビス９３を取り外し、「２」の刻印１３２を目印に連結部８１ｂと連結片８９ｂとを切断工具で切断することで、取付片部８３ｂを蓋体８０から分離させて回路基板ボックス６２を開放する。後は同様に、取付穴９０にビス９３を螺着してその螺着部分に新しいホログラムシール９８を貼着し、また、取付片部８３ｂの切断に伴って取り出されたワンウェイネジ１３０を「３」の刻印１３３を目印に取付片部８３ｃの取付穴９９ａに螺着し、新しいホログラムシール９８を貼着する。これにより、回路基板ボックス６２が再度閉塞状態に復元される。それ以降、回路基板ボックス６２を開放（３回目の開放）して閉塞状態に復元する場合には、取付穴９０に貼着されたホログラムシール９８を剥した後にビス９３を取り外し、「３」の刻印１３３を目印に連結部８１ｃと連結片８９ｃとを切断工具で切断することで、取付片部８３ｃを蓋体８０から分離させて回路基板ボックス６２を開放し、取付穴９０にビス９３を螺着してその螺着部分に新しいホログラムシール９８を貼着すると共に、取付片部８３ｃの切断に伴って取り出されたワンウェイネジ１３０を「４」の刻印１３４を目印に取付片部８３ｄの取付穴９９ａに螺着して新しいホログラムシール９８を貼着する。その後の回路基板ボックス６２の開放（４回目の開放）については、全ての取付片部８３ａ〜８３ｄが蓋体８０から切り離された状態となるため、回路基板ボックス６２を開放するだけで閉塞状態に復元することはできない。
【００４１】
ところで、上記した回路基板ボックス６２の閉塞状態においては、連結部８１ａ〜８１ｄ乃至連結片８９ａ〜８９ｃを切断して取付片部８３ａ〜８３ｄと上板８１との連結を解除しない限り、回路基板ボックス６２が開放できないようになっている。従って、回路基板６１の検査以外で連結部８１ａ〜８１ｄ乃至連結片８９ａ〜８９ｃが切断されるような場合は、この切断により回路基板６１に不正が行われたことが即座に且つ確実に判別できるため、回路基板ボックス６２の防犯効果を高めることができる。また、回路基板ボックス６２の構成では、上板８１の溶着突起８２を切り離しても、上板８１は、取付片部８３ａのビス１３０止めにより取り外すことができず、然も導電板９４が回路基板６１上に落ち込む。このため、溶着突起８２を切り離した隙間から回路基板６１に細工をしようとしても導電板９４がそれを阻止する。また、ホログラムシール９８を剥してビス９３を外した場合には、ホログラムシール９８の痕跡がしっかりと残るため不正が行われたことが即座に分かる。また、回路基板ボックス６２の復元において、蓋体８０のビス１３０止め箇所は、図９（Ａ）に示すように、蓋体８０を平面から見て対角線上になるように設定されている。このため、ビス１３０止め箇所を蓋体８０の一側に偏らせることがないので、開放後に復元した回路基板ボックス６２でも防犯効果の高さを維持することができる。
【００４２】
以上のように、本実施形態に係る回路基板ボックス６２は、ボックス本体１００と蓋体８０とを備え、ボックス本体１００及び蓋体８０のうち少なくとも一方には、ワンウェイネジ１３０により前記ボックス本体１００と前記蓋体８０とを固着状態に取り付ける第一の取付片部８３ａと、該取付片部８３ａを切り離して前記ボックス本体１００と前記蓋体８０との固着状態を解除する連結部８１ａ及び連結片８９ａと、該連結部８１ａ及び連結片８９ａの切断状態でワンウェイネジ１３０により前記ボックス本体１００と前記蓋体８０とを再び固着状態に取り付ける第二の取付片部８３ｂ〜８３ｄと、該取付片部８３ｂ〜８３ｄを切り離して前記ボックス本体１００と前記蓋体８０との固着状態を解除する連結部８１ｂ〜８１ｄ及び連結片８９ｂ・８９ｃと、が形成され、前記取付片部８３ａ〜８３ｄを集約的に設けたことを特徴とする。このように構成することにより、出荷納入後に回路基板６１を検査する場合でも、取付片部８３ｂ〜８３ｄをワンウェイネジ１３０で固着することにより、別の新しい回路基板ボックスに取り替えることなく、再度防犯効果の高い回路基板ボックス６２に復元することができる。また、このような構成では、複数の取付片部８３ａ〜８３ｄを集約的に設けることにより、固着状態にある取付片部が一瞥できるので、回路基板ボックス６２の開閉作業が容易になり、検査の迅速化を招来することができる。
【００４３】
また、前記ワンウェイネジ１３０は、回路基板ボックス６２に複数（３個）装備されると共に、前記取付片部８３ｂ〜８３ｄの切り離し毎に１つずつ取り出される構成としたので、蓋体８０とボックス本体１００との固着状態を解除する作業が容易になり、然も蓋体８０とボックス本体１００とを固着するためのワンウェイネジ１３０を事前に用意しておく必要がないので、回路基板ボックス６２の復元作業が行い易くなる。
【００４４】
また、前記取付片部８３ａ〜８３ｄは、前記連結片８９ａ〜８９ｃを介して並設され、前記ワンウェイネジ１３０は、前記連結片８９ａ〜８９ｃが切断されることによって取り出される構成としたので、連結片８９ａ〜８９ｃを切断した時点でボックス本体１００と蓋体８０とを固着するワンウェイネジ１３０が取り出されるので、ボックス本体１００と蓋体８０との固着作業及びその解除作業が容易になる。
【００４５】
また、前記ボックス本体１００及び前記蓋体８０を固着状態とする前記取付片部８３ａ〜８３ｄの外壁面が平坦になるようにし、その外壁面に封印部材（ホログラムシール９８）を貼着したので、回路基板ボックス６２の閉塞状態をホログラムシール９８で担保することができ、また、そのホログラムシール９８は、突起のない平坦面上に貼付されるのでシール９８の剥れ及び損傷が防止できると共にシール９８に対する不正行為の判別が容易になる。
【００４６】
また、取付状態において、前記蓋体８０が表面側になるように取り付けられ、その蓋体８０にのみ前記取付片部８３ａ〜８３ｄを形成したので、回路基板ボックス６２の外壁面に取付片部８３ａ〜８３ｄを配した構成となるので、取付片部８３ａ〜８３ｄを切り離したことがよく分かる。
【００４７】
また、前記連結片８９ａ〜８９ｃは、その並設方向と直交する方向に切断し易い構造としたので、１つの連結片を切断する際、同時に他の連結片まで切断する虞がない。
【００４８】
また、前記取付片部８３ａ〜８３ｄは、平板状で且つ回路基板ボックス６２の側面に沿って形成された構成としたので、取付片部８３ａ〜８３ｄが突出しないので破損などを防止することができる。
【００４９】
また、前記蓋体８０は、金属製の蓋枠８６と合成樹脂製の上板８１とを備え、該上板８１に前記取付片部８３ａ〜８３ｄを形成したので、取付片部８３ａ〜８３ｄを合成樹脂で形成することによりその切り離し作業を容易にすることができる一方、蓋体８０の一部に金属を使用することで強度を向上することができる。また、このように蓋体８０の一部に金属を使用することで、静電気に強い回路基板ボックス６２を構成することができる。
【００５０】
なお、上記した実施形態では、本発明における複数の取付部（取付片部８３ａ〜８３ｄ）の集約箇所を回路基板ボックスの２箇所（二側辺）としているが、この構成に限定するものではない。例えば、蓋体の一側をボックス本体に対して回動自在に軸支し、その開放側の１箇所に取付部を集約的に設けてもよく、さらには２箇所以上の複数箇所に複数の取付部を集約して設けてもよい。また、集約して設ける部位についても特に限定しない。例えば、回路基板ボックスの側面部分でなく上面部分でもよく、切り離し易いように外側に突出して設けたり、切断部を突出させてもよい。但し、本実施形態のように取付部を突出させずに設けた場合は、取付部を破損し難い構成とすることができる。また、取付部は切断後に回路基板ボックスの一部として残るようにしてもよいし、残らないようにしてもよい。また、ワンウェイネジの螺着方向は特に限定しない。
【００５１】
また、取付部の集約も並列的なものに限定しない。例えば、回路基板ボックスの閉塞状態で回路基板のＲＯＭの上方に位置する蓋体部分に開口を設けると共に、該開口を四角形状の平板で閉塞し、その平板の全側辺に設けた取付部のうち対向する二側辺の取付部を固着するようにしてもよい。また、取付部の材質は、金属や合成樹脂などいずれの材質であってもよいが、望ましくは切断させ易い合成樹脂がよい。また、出荷納入時点で蓋体とボックス本体とを固着する第一及び第二の固着手段は、ワンウェイネジに限らず、溶着であれば溶着するための溶剤であり、接着であれば接着剤である。また、切り離し可能な取付部は、必ずしも蓋体側に設ける必要はなく、ボックス本体側に設けたり、あるいは蓋体とボックス本体との両側に設けた構成としてもよい。また、回路基板ボックスに装備されるビスの装備箇所は、例えば、取付部の裏面側としてもよい。
【００５２】
また、上記した実施形態では、蓋体８０から切断可能な取付片部を４つ並設することで、回路基板ボックス６２の４回の開放と３回の復元とを可能にしているが、取付片部は複数であればいずれの並設個数であってもよい。但し、並設個数を多く設定すればする程、回路基板ボックスの開放回数と復元回数とをより多くすることができる。また、本実施形態では、締まる方向にしか回らないワンウェイネジ１３０で取付片部８３ａ〜８３ｄを締め付ける構成となっているが、これに替えて破断取付ネジやリベット等で取付片部８３ａ〜８３ｄを締め付ける構成としてもよい。また、取付片部８３ａ〜８３ｄは、溶着や接着によって取り外しできないようにしてもよい。また、取付片部８３ｂ〜８３ｄのワンウェイネジ１３０は、必ずしも回路基板ボックス６２に装備させる必要はなく、検査時に支給するものであってもよい。また、実施形態中では、復元内容（手順）を示唆する本発明の示唆内容表示部を復元示唆シール８４及び刻印１３１〜１３４としているが、復元示唆シール８４の内容を回路基板ボックス６２の外壁面に刻印したものであってもよい。また、実施形態中では、取付片部８３ａ〜８３ｄが形成された蓋体８０の二側辺を平行する二側辺とすると共に、蓋体８０のビス１３０止め箇所を対角線上になるように設定しているが、この構成に限定するものではない。即ち、固着状態の復元を複数回行う場合、蓋体の一側辺で取付部を固着していく方向と、蓋体の他側辺で取付部を固着していく方向と、を逆方向にした構成であればよく、この構成にすることで、ビス１３０止め箇所を蓋体８０の一側に偏らせることなく、開放後に復元した回路基板ボックス６２でも防犯効果の高さを維持することができる。
【００５３】
また、上記した実施形態では、本発明の基板収納ボックスを弾球遊技機用の遊技制御回路基板を収納する回路基板ボックスとしているが、これに限定するものではない。例えば、賞球払出制御基板などを収納する基板収納ボックスでもよい。即ち、内部の回路基板に対する不正行為を防止する必要がある基板収納ボックスであればよい。また、遊技機としては、弾球遊技機以外の遊技機（例えば、スロットマシンやコインゲーム等）であってもよい。さらには、各種構成部材を形成する素材については、取り分け実施形態中に記載のものに限定するものではない。例えば、透視性を有する上板を透明合成樹脂ではなく、ガラス素材から形成してもよい。
【００５４】
なお、以上説明した実施形態から把握できる発明又は変形例として以下のものがある。
（１）回路基板を被覆状態にて収納する遊技機の基板収納ボックスにおいて、前記回路基板を取り付けるボックス本体と、該ボックス本体を上方から覆う蓋体と、を備え、前記ボックス本体を金属平板から折曲形成すると共に、その折曲形成したボックス本体の側壁を溶接することなく前記蓋体の側壁に固着したことを特徴とする遊技機の基板収納ボックス。このように構成することにより、基板収納ボックスとしての強度を保証した上で溶接コストを削減することができる。
（２）回路基板を被覆状態にて収納する遊技機の基板収納ボックスにおいて、前記回路基板を取り付けるボックス本体と、該ボックス本体を上方から覆う蓋体と、を備え、前記蓋体を金属平板から折曲形成すると共に、その折曲形成した蓋体の側壁を溶接することなく前記ボックス本体の側壁に固着したことを特徴とする遊技機の基板収納ボックス。このように構成することにより、基板収納ボックスとしての強度を保証した上で溶接コストを削減することができる。
（３）透視板は、蓋枠に取り付けられる方が組み付け易いので望ましいが、透視板をボックス本体側に取り付けるようにして、ボックス本体と蓋体とを分離させなければ透視板が取れないものでも本実施形態と同様の効果が得られる。蓋体とボックス本体との固着を解除して初めて透視板をボックス本体から取り外し得る構成としたことを特徴とする遊技機の基板収納ボックス。
（４）本実施形態では、底板を用いて基板の底側を見えるようにしたが、底板がなくボックス本体の底面に大きな開口がないもの、つまり、上面を開放した箱状の本体枠のみのものでもよい。また、導電板がないものでもよく、透視板は、蓋枠の上下どちらに取り付けられるものでもよい。
（５）封印部材は、ホログラムシールに限定することなく、痕跡（剥した跡など）が残るものであればよい。例えば、色が変わったり一部が剥れずに残るものなど。
（６）ホログラムシール（封印部材）が透視板と蓋体とに跨がって貼付されるか、又は透視板と蓋体と取付基板（本体枠）とに跨がって貼付されるものであれば、そのシール（封印部材）が固着部に貼付されていないものでもよく、特に貼付する位置は限定しない。また、固着部に貼付されるシール（封印部材）と、透視板及び蓋体に跨がって貼付されるシール（封印部材）と、は別体でもよい。
（７）ワンウェイネジ以外のネジ止めもしているが、ネジ止めは、ワンウェイネジ（破壊して初めて取り外し可能な固着手段）のみのものでもよい。また、ネジ止め以外の係止部があってもよい。
（８）蓋体と透視板との取り付けは、ネジ止めに限らず、はまり込んで係止するものでもよい。
（９）蓋枠及び本体枠は、合成樹脂製のものでもよく、さらには導電性のものが好ましい。
（１０）封印部材は、ビス自体に貼付しないものでもよいし、取付片部の連結部に貼付しないものでもよい。
（１１）連結片に切断順序を示唆する番号を刻印してもよく、また切断すべき部分を着色するなどしてもよい。なお、連結片に切断順序を刻印した場合には、連結片を切断した時点で刻印が破断し、連結片が切断されていることを明確にすることができる。
（１２）取り出されるビスの径と取付穴の径とを異ならせて、１つの取付穴に対して１つのビスしか取り付かないようにしてもよい。また、ビスとビス穴に色を付けてビス止め部分を分かり易くしてもよい。
【００５５】
【発明の効果】
以上、説明したところから明らかなように、本発明の請求項１においては、回路基板を収納する基体及び蓋体を備えた遊技機の基板収納ボックスにおいて、前記蓋体に設けられ、前記基体と前記蓋体とを固着させる固着手段が取り付けられる第一の取付片部と、前記第一の取付片部を前記蓋体から切り離して前記基体と前記蓋体との固着状態を解除するために切断される第一の切断部と、前記第一の切断部が切断され、前記第一の取付片部が前記蓋体から切り離されて前記基体と前記蓋体との固着状態が解除されても再び前記基体と前記蓋体とを固着させる固着手段が取り付けられる第二の取付片部と、前記第二の取付片部を前記蓋体から切り離して前記基体と前記蓋体との固着状態を解除するために切断される第二の切断部と、前記第二の取付片部に取り付けられる予備の固着手段が保持される予備保持部と、が形成され、前記第一及び第二の取付片部を並設させて前記蓋体の対向する二側辺に各々設けたことを特徴とする。このように構成することにより、出荷納入後に回路基板を検査する場合でも、取付部を第二の固着手段で固着することにより、別の新しい基板収納ボックスに取り替えることなく、再度防犯効果の高い基板収納ボックスに復元することができる。さらに、複数回検査しても防犯効果を高く維持することができる。また、このような構成では、複数の取付部を蓋体の対向する二側辺に各々設けることにより、固着状態にある取付部が一瞥できるので、基板収納ボックスの開閉作業が容易になり、検査の迅速化を招来することができる。
【００５６】
また、前記第二の固着手段は、基板収納ボックスに複数装備されるので、蓋体と基体とを固着するための第二の固着手段を事前に用意しておく必要がないため、基板収納ボックスの復元作業が行い易くなる。
【００５７】
【００５８】
【００５９】
【００６０】
【００６１】
【００６２】
【図面の簡単な説明】
【図１】
本発明の一実施形態における弾球遊技機を示す正面図である。
【図２】
弾球遊技機を示す背面図である。
【図３】
回路基板ボックス及び取付台を示す斜視図である。
【図４】
蓋体を示す分解斜視図である。
【図５】
同図（Ａ）（Ｂ）はそれぞれ溶着突起の溶着状態を示す説明図である。
【図６】
蓋枠を示す展開図である。
【図７】
同図（Ａ）は蓋体とボックス本体との組み付け状態を示す縦断面図であり、同図（Ｂ）はワンウェイネジによって蓋体をボックス本体に組み付けた状態を示す部分断面図である。
【図８】
同図（Ａ）（Ｂ）はそれぞれワンウェイネジを示す説明図である。
【図９】
同図（Ａ）は「１〜４」の刻印が施された回路基板ボックスを示す平面図であり、同図（Ｂ）は復元示唆シールを示す平面図である。
【図１０】
同図（Ａ）〜（Ｃ）はそれぞれ回路基板ボックスの復元手順を示す側面図である。
【符号の説明】
１  弾球遊技機
４０  遊技盤
５０  機構板
６１  遊技制御回路基板（回路基板）
６２  回路基板ボックス（基板収納ボックス）
８０  蓋体
８１  上板
８１ａ  連結部（第一の切断部）
８１ｂ〜８１ｄ  連結部（第二の切断部）
８２  溶着突起
８３ａ  取付片部（第一の取付片部）
８３ｂ〜８３ｄ  取付片部（第二の取付片部）
８４  復元示唆シール
８６  蓋枠
８９ａ  連結片（第一の切断部）
８９ｂ・８９ｃ  連結片（第二の切断部）
９４  導電板
９５  導電性繊維
９８  ホログラムシール（封印部材）
９９ａ  取付穴
９９ｂ  係合突起
１００  ボックス本体（基体）
１０１  底板
１０７  本体枠
１１６  取付穴
１２０  取付台
１３０  ワンウェイネジ（第一及び第二の固着手段）
１３１〜１３４  刻印